(57)【要約】【課題】機能部の傾きを防止することができる水洗式便器を提供すること。【解決手段】便器本体１０と、便器本体１０の後方上面部１３に配置される機能部２と、機能部２が所定の基準方向に対して傾いた姿勢で設置されることを抑制する傾き抑制機構と、を備える水洗式便器１である。傾き抑制機構は、機能部２の後方側に下がる傾きのみを抑制することが好ましい。傾き抑制機構は、後方上面部１３の表面に沿って配置され、機能部２を支持する平面部４１と、平面部４１に形成され、後方上面部１３側へ向かって突出する突出部４４と、を有する後方プレート４を含むことが好ましい。【選択図】図３
2020190075.tif 000002
【特許請求の範囲】
【請求項１】
便器本体と、
前記便器本体の後方の上面部に配置される機能部と、
前記機能部が所定の基準方向に対して傾いた姿勢で設置されることを抑制する傾き抑制機構と、を備える水洗式便器。
【請求項２】
前記傾き抑制機構は、前記機能部の後方側に下がる傾きのみを抑制する、請求項１に記載の水洗式便器。
【請求項３】
前記傾き抑制機構は、前記上面部の表面に沿って配置され、前記機能部を支持する平面部と、前記平面部に形成され、前記上面部側へ向かって突出する突出部と、を有する後方プレートを含む、請求項１又は２に記載の水洗式便器。
【請求項４】
前記後方プレートは、前記上面部に固定するための部材が挿通する固定孔を有し、
前記突出部は、前記固定孔の近傍に配置される、請求項３に記載の水洗式便器。
【請求項５】
前記傾き抑制機構は、前記上面部の表面に沿って配置され、前記機能部を支持する平面部と、前記平面部と前記上面部との間の距離を調整可能な高さ調整部と、を有する後方プレートを含む、請求項１〜４のいずれか１項に記載の水洗式便器。
【請求項６】
前記高さ調整部は、前記平面部の裏面に設けられる弾性部材を含む、請求項５に記載の水洗式便器。
【請求項７】
前記高さ調整部は、前記平面部に形成されたねじ孔と、前記ねじ孔に螺合するねじを含む、請求項５又は６に記載の水洗式便器。
【請求項８】
前記傾き抑制機構は、前記便器本体の設置面から上方に延びて前記機能部の底部裏面に接触し、前記機能部を支持する支持部材を含む、請求項１〜７のいずれか１項に記載の水洗式便器。
【発明の詳細な説明】
【技術分野】
【０００１】
本開示は、水洗式便器に関する。
【背景技術】
【０００２】
従来、便器本体の後方の上面部には、便器本体に洗浄水を供給する洗浄装置や、便器の操作に関する各種の装置の機能部品が設けられ、カバーで覆われた機能部が配置されている。機能部を便器本体の上面部に安定して固定するため、上面部はなるべく水平となるように形成される（例えば、特許文献１参照）。
【先行技術文献】
【特許文献】
【０００３】
【特許文献１】特開２０１２−４１７９３号公報
【発明の概要】
【発明が解決しようとする課題】
【０００４】
しかし、製造誤差等が生じ、例えば便器本体が陶器で構成される場合には、焼成の加減で便器本体の後方の上面部が傾いて形成される場合がある。上面部の傾斜の度合いによっては、上面部の上に取り付けられた機能部が上面部の傾きに伴って傾くことがある。機能部が傾くと、機能部の機能部品を覆っているカバーが傾くので、外側から傾きが視認され、美観上好ましくない。カバーが傾くと、カバーの下方で便器本体の側部を覆うサイドカバーを取り付けることが難しくなる可能性がある。このため、機能部の傾きを抑制して水平に取り付けることが望ましかった。
【課題を解決するための手段】
【０００５】
本発明は、便器本体と、前記便器本体の後方の上面部に配置される機能部と、前記機能部が所定の基準方向に対して傾いた姿勢で設置されることを抑制する傾き抑制機構と、を備える水洗式便器に関する。
【図面の簡単な説明】
【０００６】
【図１】第一実施形態における水洗式便器の側面図である。
【図２】第一実施形態における水洗式便器の部分側面断面図である。
【図３】第一実施形態における水洗式便器の平面の模式図である。
【図４】第一実施形態における後方プレートの斜視図である。
【図５Ａ】従来の水洗式便器において機能部の傾きによりカバーが傾いている状態を説明する図である。
【図５Ｂ】第一実施形態の後方プレート４が傾きを抑制している状態を示す図である。
【図５Ｃ】第一実施形態のカバーが傾きを抑制された状態を示す図である。
【図６】第二実施形態における後方プレートの斜視図である。
【図７】第三実施形態における後方プレートの斜視図である
【図８】第四実施形態の水洗式便器の側面図である。
【発明を実施するための形態】
【０００７】
図１に示すように、水洗式便器１は、洗浄水が供給されて汚物を排出する便器本体１０と、便器本体１０の上面に配置される便座（図示省略）と、便座を覆う便蓋５と、便器本体１０に洗浄水を供給する配管６（図２参照）と、便器本体１０の後方に配置される機能部２と、機能部２の下方で便器本体の後方側部を覆うサイドカバー３と、機能部２の傾きを抑制する傾き抑制機構を構成する後方プレート４（図２参照）と、を有する。
【０００８】
図２及び図３に示すように、便器本体１０は、ボウル部１１と、リム部１２と、上面部としての後方上面部１３と、を有する。便器本体１０は、全体が陶器により形成される。
本明細書において前方とは、水洗式便器１に対して使用者が着座する側であり、後方とはその反対の側を意味する。前方と後方を結ぶ方向が前後方向であり、前後方向に直交する方向であって、水平面に含まれる方向を幅方向とする。
【０００９】
ボウル部１１は、上部が開口した凹状に形成され、下水へ連通する排水口を有する。ボウル部１１には、洗浄水が供給される。
【００１０】
図３に示すように、リム部１２は、ボウル部１１の上縁に沿う部分である。リム部１２の上面は平坦で、上面には便座が配置される。リム部１２は内部が中空に形成され、洗浄水がリム部１２の内部を流通してボウル部１１へ供給されるように構成されている。
【００１１】
後方上面部１３は、リム部１２の後方に配置される略平坦な面である。後方上面部１３は、リム部１２の後端側の幅よりも狭い幅を有し、リム部１２の幅方向中央寄りから後方に向かって延出する。
【００１２】
配管６は、上流端が便器本体１０の後方に配置される洗浄水の供給源に接続され、下流端が便器本体１０に接続される。図３に示すように、配管６は、便器本体に二本設けられ、リム配管６１と、ジェット配管６２と、を有する。リム配管６１は、便器本体１０のリム部１２の内側の周縁に洗浄水を供給する管である。リム配管６１は、ノズル６３を介してリム部１２の後面に取り付けられてリム部１２の内部に連通する。ジェット配管６２は、便器本体１０のボウル部１１の底に向けて洗浄水を供給する管である。
【００１３】
便蓋５は、便座を覆うように回動可能に取り付けられ、便座及びボウル部１１をともに覆う。
【００１４】
機能部２は、機能部品２１と、機能部品２１を覆うカバー２２と、を有する。機能部品２１は、洗浄装置や、脱臭装置、各種センサ等、水洗式便器の様々な機能を発揮するための部品を含む。洗浄装置は、人体の排泄部周辺を洗浄する。
【００１５】
機能部品２１は、便器本体１０の後方上面部１３の上に配置される。
カバー２２は、機能部品２１の上方を覆い、便器本体１０の後方上部の外形をなす。カバー２２は、機能部品２１の一部と係合することで機能部品２１に取り付けられる。カバー２２は、図１に示すように、上面部２２１と、下方開口部２２２と、背面部２２３と、側面部２２４と、を有する。
【００１６】
上面部２２１は、便蓋５の上面の傾斜と連続する角度で傾斜する平坦な面である。下方開口部２２２は、内部に機能部品２１を収容可能な凹部を構成し、設置状態で設置面側に開口する。背面部２２３は、カバー２２の後方側で上下方向に延びる略長方形の面である。側面部２２４は、上面部２２１の幅方向の端部から下方に延びるとともに、側面部２２４の上縁が便蓋５の後方の下縁と合わさるように前方側へ傾斜している。側面部２２４の下端縁２２４ａは、カバー２２が機能部品２１に取り付けられた状態で、側面視でなるべく水平に近い方向に配置されることが望ましい。
【００１７】
サイドカバー３は、カバー２２の下方で便器本体１０の後方側部に取り付けられ、便器本体１０の後方に配置された給水装置等を覆うカバーである。サイドカバー３は、平坦な板状に形成されて、サイドカバー３の上端縁３１が側面部２２４の下端縁２２４ａと向かい合い、サイドカバー３の下端縁３２が設置面に対面する。
【００１８】
傾き抑制機構は、機能部２が所定の基準方向に対して傾いた姿勢で設置することを抑制する機構である。所定の基準方向とは、例えば水平方向であり、水洗式便器１を設置する際に設計上予定されている方向を意味する。傾き抑制機構は、機能部２の後方側に下がる傾きのみを抑制する。第一実施形態では、傾き抑制機構は、後方プレート４を含む。後方プレート４は、便器本体１０の後方上面部１３の上に配置され、便器本体１０の後方上面部１３に後方プレート４を固定するための部材としての固定ねじ４９（図３参照）で固定される成形された薄い板材である。後方プレート４は、平面部４１と、配管支持部４２と、固定孔４３と、突出部４４と、を有する。
【００１９】
平面部４１は、後方上面部１３の形状に適合するように成形され、後方上面部１３の表面に沿って配置される。平面部４１は細長い形状をしており、長手方向が便器本体１０の幅方向に沿って配置される。平面部４１は、機能部２を支持する。より具体的には、平面部４１は、機能部２の底面を支持する。機能部２の底面は、機能部２の取付基準面である。機能部２の底面が水平になるように、機能部２が平面部４１に支持されることが好ましい。通常、水洗式便器１の底面（つまり、床との接触面）は、設計通りに、水平面に平行に製造される。このため、機能部２の底面は、水洗式便器１の底面と平行に設置されることが好ましい。
【００２０】
配管支持部４２は、平面部４１から連続して後方に延び、リム配管６１及びジェット配管６２の周囲を囲う部分である。配管支持部４２は、平面部４１の幅方向の一方側で、設置された状態で後方側に配置される。配管支持部４２は、平面部４１から高さ方向上方に起立する三つの側壁部４２１と、三つの側壁部４２１に繋がる上面部４２２とを有し、上面部４２２には、リム配管６１及びジェット配管６２が挿通可能な貫通孔４２３が並んで二つ形成されている。
【００２１】
固定孔４３は、貫通孔であり、固定ねじ４９が挿通する。固定孔４３は、平面部４１の幅方向の一方及び他方に配置されている。
【００２２】
突出部４４は、平面部４１と一体に形成され、裏側の後方上面部１３に向かって凸となるように突出させてプレス成形された部分である。突出部４４は、平面視で四隅が丸い角丸長方形に形成され、長手方向が便器本体１０の幅方向に沿うように配置される。突出部４４は、固定孔４３の近傍で、平面部４１の後方側にのみ配置され、便器本体１０の幅方向に沿って固定孔４３と交互に配置されている。より具体的には、突出部４４は、平面部４１の幅方向の略中央側と、配管支持部４２と反対側の幅方向の他方に配置されている。
【００２３】
突出部４４は、図５Ｂに示すように、横断面が略Ｕ字型となっており、突出部４４の後方上面部１３側への突出高さは、例えば０.５ｍｍ〜１.５ｍｍ程度である。
【００２４】
図５Ａに示すように、便器本体の後方上面部が傾いていると、後方プレートが下方に傾いて設置され、これに伴って機能部９０が傾いてしまう場合がある。この場合、機能部９０のカバー９２が傾くと、カバー９２の下縁がその下のサイドカバーに干渉し、サイドカバーを取り付けにくくなってしまったり、カバー９２が傾いて美観に問題が生じたりする。
【００２５】
図５Ｂの太い破線で示すように、第一実施形態の水洗式便器１の使用の状態において、便器本体１０の後方上面部１３が、陶器の焼成具合によって下方に傾いて形成された場合でも、平面部４１の裏面側から下方に突出する突出部４４が、平面部４１と後方上面部１３との隙間Ｓに高さ方向に突出する。突出部４４の先端が傾斜した後方上面部１３に支持されることで、後方プレート４の平面部４１の傾きが抑制される。
【００２６】
後方プレート４の平面部４１の傾きが緩和された後、後方プレート４には、機能部２の機能部品２１が載置され、取り付けられる。そして機能部品２１の上部を覆うように、カバー２２が取り付けられる。図５Ｃに示すように、後方プレート４の傾きが抑制され、機能部品２１の傾きが抑制されるのに伴い、カバー２２の傾きが抑制される。
【００２７】
第一実施形態によれば、以下の効果を奏する。
第一実施形態では、便器本体１０を、便器本体１０の後方上面部１３に配置される機能部２と、機能部２が水平方向に対して傾いた姿勢で設置されることを抑制する傾き抑制機構と、を含んで構成した。水洗式便器１が機能部２の傾きを抑制する傾き抑制機構を有しているので、便器本体１０の後方上面部１３が傾いて製造された場合でも、カバー２２を水平に取り付けやすくなり、水洗式便器１の美観が向上する。カバー２２の下に取り付けるサイドカバー３も取り付けやすくなる。
【００２８】
第一実施形態では、傾き抑制機構を、後方上面部１３の表面に沿って配置され、機能部２を支持する平面部４１と、平面部４１に形成され、後方上面部１３側へ向かって突出する突出部４４と、を有する後方プレート４を含んで構成した。後方プレート４が後方上面部１３側に向かって突出する突出部４４を有しているので、後方上面部１３が傾斜していた場合に、後方プレート４と後方上面部１３の傾斜により形成される隙間Ｓの高さ方向に突出部４４が配置される。突出部４４が、傾斜した後方上面部１３に支持されるので、後方プレート４の平面部４１を略水平に取り付けやすくなる。よって、後方プレート４の上に機能部２を水平に取り付けやすくなり、カバー２２の下縁も水平に近づくため、上記と同様の効果を奏する。
【００２９】
第一実施形態では、傾き抑制機構を、機能部２の後方側に下がる傾きのみを抑制するように構成した。例えば、突出部４４を、平面部４１の後方側にのみ配置させる等、機能部２が前方側から後方側に下り傾斜すること抑制すれば足り、前方側の傾きを抑制する構成を有さなくてよいので、後方プレート４を簡易な構造にすることができ、コストダウンを図ることができる。
【００３０】
第一実施形態では、後方プレート４を、後方上面部１３に固定するための固定ねじ４９が挿通する固定孔４３を含んで構成し、突出部４４を、固定孔４３の近傍に配置させた。突出部４４を固定孔４３の近傍に配置させることで、例えば、固定孔４３を後方プレート４の幅方向の一方及び他方に配置した場合には、固定孔４３と突出部４４とが交互に位置し、突出部４４で固定孔４３を挟むように配置される。このように、後方プレート４を固定する位置に近接した位置で傾きの抑制を行えるため、均一に傾きを抑制することができる。
【００３１】
図６は、第二実施形態の後方プレート４Ａの斜視図であり、図４と反対側（設置した場合の後方かつ裏面側）から視た状態を示している。図６を参照して、第二実施形態に係る水洗式便器１Ａについて説明する。第二実施形態以降の説明において、第一実施形態と共通する構成については、説明を省略する。
【００３２】
第二実施形態では、図６に示すように、後方プレート４Ａが高さ調整部を有し、傾き抑制機構が、平面部４１Ａと高さ調整部を有する後方プレート４Ａを含む点が、第一実施形態と異なる。高さ調整部は、平面部４１Ａと後方上面部１３との距離を調整可能な部材である。第二実施形態における高さ調整部は、後方プレート４Ａに設けられた弾性部材４５を含む。弾性部材４５は、例えばウレタン等のゴムや発泡部材である。弾性部材４５は、帯状に形成され、平面部４１Ａの裏面における後縁に、長手方向が平面部４１Ａの幅方向に沿うように配置され、接着される。弾性部材４５は、平面部４１Ａの後方側（後方上面部１３に設置された状態で、便器本体１０の後方側）にのみ形成される。
【００３３】
弾性部材４５は、平面部４１Ａの裏面から下方に所定の厚さを有して形成される。弾性部材４５の厚さは、第一実施形態における突出部４４と同程度（例えば０.５ｍｍ〜１.５ｍｍ）か、又は弾性部材４５が圧縮可能な部材であることから、突出部４４よりもわずかに厚い程度を例示できる。
【００３４】
第二実施形態の後方プレート４Ａによれば、便器本体１０の後方上面部１３が傾いて形成されていた場合に、後方プレート４Ａと後方上面部１３との間に形成された隙間Ｓに、弾性部材４５が配置される。平面部４１Ａと後方上面部１３との間の距離（高さ）が弾性部材４５の厚さよりも小さい場合でも、弾性部材４５が一定程度圧縮され、平面部４１Ａと後方上面部１３との間の距離（高さ）が調整される。弾性部材４５が、取り付けられる便器本体１０の後方上面部１３の形状や傾きに応じて変形し、平面部４１Ａと後方上面部１３との距離を調整することで、後方プレート４における平面部４１Ａの傾きが抑制される。
【００３５】
後方プレート４Ａの傾きが抑制されることで、第一実施形態と同様に、機能部２の傾きが抑制され、第一実施形態と同様の効果を奏する。弾性部材４５が平面部４１Ａの後方側にのみ配置されていることで、後方プレート４Ａを簡易な構造にすることができ、コストダウンを図ることができる。
【００３６】
図７は、第三実施形態の後方プレート４Ｂの斜視図である。図７を参照して、第三実施形態に係る水洗式便器１Ｂについて説明する。
【００３７】
第三実施形態では、後方プレート４Ｂの高さ調整部が、平面部４１Ｂに固定孔４３とは別に形成されたねじ孔４６と、ねじ孔４６に螺合されるねじ４７とを含む点が、第二実施形態と異なる。
ねじ孔は、固定孔４３の幅方向内側で、平面部４１の後方側にのみ配置される。ねじ孔は、幅方向の一方及び他方に離れて配置される貫通孔である。
ねじ４７は、軸部の全体にねじが形成されている所謂いもねじ（ホーローセット）である。ねじ４７がねじ孔と噛み合って回転し、ねじ込み深さを平面部４１Ｂと後方上面部１３との間の距離（高さ）に応じて変更することが可能である。
【００３８】
第三実施形態の後方プレート４Ｂによれば、便器本体１０の後方上面部１３が傾いて形成されていた場合に、後方上面部１３の傾きに応じて、後方プレート４Ｂの平面部４１Ｂと後方上面部１３との距離を調整することで、平面部４１Ｂの傾きが抑制される。このとき、ねじ孔４６が複数個所あるので、平面部４１Ｂの全体が水平に近づくよう、位置に応じて変更することができる。平面部４１Ｂの傾きが抑制されることで、第一及び第二実施形態と同様に、機能部２及びカバー２２の傾きが抑制され、上記実施形態と同様の効果を奏する。ねじ孔４６及びねじ４７が平面部４１Ｂの後方側にのみ配置されていることで、後方プレート４Ｂを簡易な構造にすることができ、コストダウンを図ることができる。
【００３９】
図８は、第四実施形態の水洗式便器１Ｃの側面図である。図８を参照して、第四実施形態に係る水洗式便器１について説明する。
第四実施形態では、傾き抑制機構が支持部材４８を含む点で、第一実施形態〜第三実施形態と異なる。支持部材４８は、伸縮可能で所望の位置で長さを固定することができる棒状の形状を有する。支持部材４８は、径の異なる円筒を伸縮自在に組み付けた所謂入れ子式の棒であってよい。
【００４０】
トイレルーム等の設置面に便器本体１０を設置し、後方上面部１３に後方プレート４及び機能部２を取り付けた後で、支持部材４８の上端を機能部２の底部裏面に接触させて、支持部材４８を設置面と機能部２の底部裏面との間に上下方向に延びるように配置する。支持部材４８は、機能部２を下側から支持する。支持部材４８が機能部２の下端面を支持することで、カバー２２の傾きが抑制される。図８では、サイドカバー３を省略して図示しているが、カバー２２の傾きが抑制されることで、サイドカバー３を取り付けやすくなり、支持部材４８は視認されない。第四実施形態によっても、上記実施形態と同様の効果を奏する。
【００４１】
上述の実施形態は適宜変更が可能である。例えば、上記実施形態とは異なり、カバー２２の下にサイドカバー３が配置されていなくてもよい。サイドカバーを有さず、水洗式便器の外側の全周が陶器で形成されているタイプの水洗式便器であってもよい。
【００４２】
上記実施形態とは異なり、突出部４４やねじ孔４６、ねじ４７等は二つでなくてもよい。例えば、三つ配置されてもよく、一つであってもよい。第一〜第四実施形態における傾き抑制機構などの構成は、組み合わせてもよい。
【符号の説明】
【００４３】
１      水洗式便器
２      機能部
４      後方プレート（傾き抑制機構）
１０    便器本体
１３    後方上面部（上面部）
２１    機能部品
２２    カバー
４１    平面部
４３    固定孔
４４    突出部
４５    弾性部材（高さ調整部）
４６    ねじ孔（高さ調整部）
４７    ねじ（高さ調整部）
４８    支持部材（傾き抑制機構）
【図１】
2020190075.tif 000003
【図２】
2020190075.tif 000004
【図３】
2020190075.tif 000005
【図４】
2020190075.tif 000006
【図５Ａ】
2020190075.tif 000007
【図５Ｂ】
2020190075.tif 000008
【図５Ｃ】
2020190075.tif 000009
【図６】
2020190075.tif 000010
【図７】
2020190075.tif 000011
【図８】
2020190075.tif 000012